(57)【要約】【課題】真空断熱材を損傷させることなく、簡単かつ円滑に取り付けることができ、作業時間を短縮し、効率化を図った冷蔵庫を提供する。【解決手段】内箱と外箱との間に真空断熱材５１を挟んで構成される断熱箱体を構成する内箱の天井部分を構成する天井板部材５３に真空断熱材５１を取り付けるための位置決め用ガイド部５３ｄを天井板部材５３の外周縁部に設けている。【選択図】図６
2013119979.tif 000002
【特許請求の範囲】
【請求項１】
内箱と外箱との間に真空断熱材を挟んで断熱箱体として構成される冷蔵庫本体を有する冷蔵庫であって、
前記内箱の天井部分を構成する天井板部材に真空断熱材を取り付けるための位置決め用ガイド部を前記天井板部材に設けたことを特徴とする冷蔵庫。
【請求項２】
前記位置決め用ガイド部は、前記天井板部材の外周縁部に一体的に形成されていることを特徴とする請求項１記載の冷蔵庫。
【請求項３】
前記位置決め用ガイド部は、先端部が外側に９０度以下の角度で折曲していることを特徴とする請求項１または２記載の冷蔵庫。
【発明の詳細な説明】
【技術分野】
【０００１】
本発明の実施形態は、冷蔵庫に関する。
【背景技術】
【０００２】
冷蔵庫は、その断熱性能の向上および省エネルギー化を図るために、冷蔵庫本体となる断熱箱体を構成する外箱と内箱の間の空間に断熱材を内装して構成されている。そして、この断熱材として、従来は、硬質ウレタンフォーム等などからなる発泡断熱材が使用されていたが、近年は、この発泡断熱材よりも断熱効果が大きく、かつ薄型化し得る真空断熱材が使用されている。
【発明の概要】
【発明が解決しようとする課題】
【０００３】
真空断熱材は、例えば細いガラス繊維の綿状物であるグラスウールをマット状に固めた芯材をアルミ箔と合成樹脂フィルムをラミネートしたガスバリア性の高いラミネートフィルムからなる袋体で包んで長方形の薄板状に構成されるものであるため、袋体を構成するフィルムが断熱箱体を構成する構造体の尖った角部などに当たり、損傷したときには、真空状態が保持できなくなり、断熱効果に影響することも懸念される。
【０００４】
そのため、例えば断熱箱体を構成する内箱の板の上に真空断熱材を取り付ける際には、真空断熱材が周囲の角部などに当たって傷つかないように、例えば２人で、より慎重に行う必要があり、慎重に作業する分だけ時間と人手がかかるという問題がある。
【０００５】
本発明は、上記に鑑みてなされたもので、その目的とするところは、より大型化しても真空断熱材を損傷させることなく、簡単かつ円滑に取り付けることができ、作業時間を短縮し、効率化を図った冷蔵庫を提供することにある。
【課題を解決するための手段】
【０００６】
実施形態の冷蔵庫は、内箱と外箱との間に真空断熱材を挟んで構成される断熱箱体を構成する内箱の天井部分を構成する天井板部材に真空断熱材を取り付けるための位置決め用ガイド部を天井板部材に設けている。
【図面の簡単な説明】
【０００７】
【図１】本発明の一実施形態に係わる冷蔵庫の全体構成を示す斜視図である。
【図２】図１に示す冷蔵庫を構成する断熱箱体を示す斜視図である。
【図３】図２に示す断熱箱体の分解斜視図である。
【図４】図３に示した断熱箱体の上面板状部のうち外板用天井板部材を取り外した状態の上面板状部を示す斜視図である。
【図５】図４に示した上面板状部の分解斜視図である。
【図６】図２に示した断熱箱体の右上角部である上面板状部と右側板状部との角部を上面板状部から外板用天井板部材を取り外した状態で示す断面図である。
【発明を実施するための形態】
【０００８】
以下、図面を用いて、本発明を実施するための形態(以下、実施形態と称する)を説明する。
【０００９】
図１は、本発明の一実施形態に係わる冷蔵庫の全体構造を示す斜視図である。同図に示す冷蔵庫１は、その本体が後述するように内箱と外箱との間に真空断熱材を挟んで構成される断熱箱体３で構成され、この断熱箱体３は、天井部分を構成する上面板状部５、底面を構成する底面板状部７、右側壁を構成する右側板状部９、左側壁を構成する左側板状部１１および背面壁を構成する背面板状部１３で構成されている。なお、図１においては、左側板状部１１、背面板状部１３および底面板状部７は、背後に隠れて図示されないので、後述する図２および図３を参照されたい。上面板状部５、底面板状部７、右側板状部９、左側板状部１１および背面板状部１３を総称して記載する場合には、単に板状部と称することにする。
【００１０】
また、前記複数の板状部で上下左右および背部を囲まれた断熱箱体３の前面開口側には、観音開き式の冷蔵室扉１５、引き出し式の野菜室扉１７、引き出し式の製氷室扉１９、引き出し式の第１の冷凍室扉２１、および引き出し式の第２の冷凍室扉２３が取り付けられている。なお、第２の冷凍室扉２３は、製氷室扉１９の横に並んで設けられている。なお、これらの冷蔵室扉１５、野菜室扉１７、製氷室扉１９、第１の冷凍室扉２１および第２の冷凍室扉２３の奥の断熱箱体３内には、それぞれ冷蔵室、野菜室、製氷室、第１の冷凍室および第２の冷凍室が設けられているものである。
【００１１】
図２および図３は、それぞれ図１に示した冷蔵庫１において冷蔵室扉１５、野菜室扉１７、製氷室扉１９、第１の冷凍室扉２１および第２の冷凍室扉２３のすべての扉を除去するとともに、これらの扉の後方にそれぞれ設けられている前記冷蔵室、野菜室、製氷室、第１の冷凍室および第２の冷凍室の間を仕切っている仕切り部材などの一部を除去して、断熱箱体３のみを明確に図示している斜視図および該断熱箱体３の分解斜視図である。
【００１２】
図２に示すように、断熱箱体３は、複数の板状部である前記上面板状部５、底面板状部７、右側板状部９、左側板状部１１および背面板状部１３を有し、これらの複数の板状部の互いに隣接するそれぞれ２枚の板状部の端部同士突き合わせ係合させて構成される外箱１０と内箱２０とから形成されている。
【００１３】
なお、この外箱１０と内箱２０との間には、真空断熱材が挟まれるように充填され、これにより断熱箱体３の断熱性を向上している。また、上述したように、隣接する２枚の板状部の端部同士を突き合わせて係合した係合部には、当該隣接する２枚の板状部を固定的に連結するねじなどが設けられ、このねじなどにより隣接する２枚の板状部は端部同士が堅固に固定されている。
【００１４】
また、図３から分かるように、断熱箱体３の天井部分を構成している上面板状部５は、前後方向で段差状をなし、前部が底面板状部７と平行な平板状をなし、後部が前部よりも下側に位置して底面板状部７と平行な平板状をなしている。そして、このように、上面板状部５の下方に凹んだ後部上に機械室２５が形成され、この機械室２５内に冷蔵庫１の冷凍サイクルを構成する図示しない圧縮機などが設けられている。なお、この機械室２５の上部は、図１に示すように、閉塞板２７で閉塞されている。
【００１５】
図４は、図３に示した上面板状部５のうち、外箱１０を構成する外板用天井板部材を取り外した状態の上面板状部５を示す斜視図である。なお、この外板用天井板部材を取り外した状態の上面板状部５を符号５０で示すことにする。この上面板状部５０は、上側に設けられている真空断熱材５１と、この真空断熱材５１の下側に設けられていて、内箱２０の天井部分を構成する天井板部材５３とを有する。そして、このように天井板部材５３の上に載置された真空断熱材５１の上に前記外板用天井板部材が取り付けられて、上面板状部５を構成しているものである。
【００１６】
図５は、図４に示した上面板状部５０の分解斜視図である。同図に示すように、上面板状部５０を構成する天井板部材５３は、そのほぼ全体を占めている矩形の平坦な平板部５３ａを有し、この平板部５３ａの上に真空断熱材５１が載置され、例えば接着剤などで固定されるようになっている。なお、平板部５３ａの外周縁部には、複数の位置決め用ガイド部５３ｄが設けられているが、この位置決め用ガイド部５３ｄについては、次に示す図６を参照して説明する。
【００１７】
図６は、図２に示した断熱箱体３の右上角部である上面板状部５と右側板状部９との角部を上面板状部５から前記外板用天井板部材を取り外した状態で示す断面図である。更に詳しくは、図６は、図４に示した上面板状部５０の右側端部の断面を当該右側端部に図２で示すように右側板状部９を取り付けた状態で示す断面図であり、この右側板状部９は、真空断熱材９１を挟んで、外箱１０を構成する外箱用右側板部材９３と内箱２０を構成する内箱用右側板部材９５とで構成され、この内箱用右側板部材９５が上面板状部５０の右端に当接して取り付けられている。
【００１８】
図６において、上面板状部５０の真空断熱材５１は、天井板部材５３の平板部５３ａ上に取り付けられているが、この平板部５３ａの右端部、すなわち平板部５３ａの内箱用右側板部材９５に向かう右端部は、斜め下方に折曲して、傾斜固定部５３ｂを構成している。更に、この傾斜固定部５３ｂの斜め下方に延出した下端部は、内箱用右側板部材９５に沿って上方に折曲してから上方に延出し、取付片５３ｃを構成している。この取付片５３ｃは、接着剤などによって内箱用右側板部材９５に固着され、これにより天井板部材５３を内箱用右側板部材９５に直角に固定し、ひいては上面板状部５０または上面板状部５を右側板状部９に対して直角に固定している。
【００１９】
また、上述したように、天井板部材５３の平板部５３ａの上方に延出して構成された取付片５３ｃは、先端部が右側板状部９の内箱用右側板部材９５よりも少し上まで延出し、内箱用右側板部材９５の上端を超えた所で右方の外側に例えば４５度折曲し、この折曲した部分で位置決め用ガイド部５３ｄを構成している。なお、この折曲角度は、９０度以下であればよいものである。
【００２０】
この位置決め用ガイド部５３ｄは、図５に示すように、天井板部材５３の平板部５３ａの全外周縁部に連続して設けられているものでなく、平板部５３ａの左右の側端部および後端部の３箇所にそれぞれ２個ずつ一体的に設けられているものである。
【００２１】
なお、図５では、平板部５３ａの右端部に設けられている２個の位置決め用ガイド部５３ｄは、その傾斜状態が斜視図の関係で明確に図示されていないが、これらの位置決め用ガイド部５３ｄも同図の左端部に示す位置決め用ガイド部５３ｄと同様に傾斜して構成されているものである。さらに、位置決め用ガイド部５３ｄの形状を内側に凸であるように中央部分を湾曲させたり、位置決め用ガイド部５３ｄの上端角部の角を弧状にしても良い。さらに、作業手順等によるところが大であるが、位置決め用ガイド部５３ｄの対向する辺に限定されることなく、取付位置や個数は、適宜選択されるものである。
【００２２】
以上のように構成された本実施形態の冷蔵庫１において、断熱箱体３の上面板状部５に真空断熱材５１を取り付ける場合において、真空断熱材５１の外側を構成しているフィルムは傷つきやすいものであるため、真空断熱材５１を上面板状部５の天井板部材５３に対して片寄ることなく、また周囲の構造体の角部などに当たらないように天井板部材５３の真中に取り付けることが必要であり、慎重な作業が必要であるが、本実施形態では、真空断熱材５１が配設される天井板部材５３の外周縁部に先端が外方に折曲した位置決め用ガイド部５３ｄが設けられているため、この位置決め用ガイド部５３ｄによってガイドされて真空断熱材５１を天井板部材５３に対して真中に正確かつ簡単に取り付けることができる。そして、仮に、真空断熱材５１が天井板部材５３に対して片寄って取り付けられようとしても、真空断熱材５１は、位置決め用ガイド部５３ｄに当たって、天井板部材５３の真中に寄せられるようにガイドされ、これにより真空断熱材５１は天井板部材５３に対して片寄ることなく、真中に正確に取り付けられることになる。
【００２３】
なお、上述した実施形態では、位置決め用ガイド部５３ｄは、上面板状部５を構成する天井板部材５３に設ける場合について説明しているが、これに限定されるものでなく、底面板状部７、右側板状部９、左側板状部１１、背面板状部１３に対しても同様に適用し得るものである。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
1  冷蔵庫
3  断熱箱体
５  上面板状部
７  底面板状部
９  右側板状部
１１  左側板状部
１３  背面板状部
５０  上面板状部
５１  真空断熱材
５３  天井板部材
５３ａ  平板部
５３ｂ  傾斜固定部
５３ｄ  位置決め用ガイド部
９１  真空断熱材
９３  外箱用右側板部材
９５  内箱用右側板部材
【図１】
2013119979.tif 000003
【図２】
2013119979.tif 000004
【図３】
2013119979.tif 000005
【図４】
2013119979.tif 000006
【図５】
2013119979.tif 000007
【図６】
2013119979.tif 000008